(57)【要約】  【課題】  キャップ式筆記具において、簡易、かつ経済的な構造により軸筒の擦過キズなどの損傷を軽減できるような筆記具を提供する。  【解決手段】  筒状の軸筒と、前記軸筒の後端の外径よりも大きい内径の筒部を有するキャップとを備えた筆記具であって、前記筒部は、前記軸筒の先端側及び後端側のいずれもが挿入可能な挿入口を備え、前記軸筒は、前記筒部に前記軸筒の後端側を挿入した際に前記筒部に覆われる前記軸筒の外周面から外方へ突出する軸筒固定突部を備え、前記軸筒固定突部は前記筒部の内周面と当接する。【選択図】図２
2005081665.tif 000002
【特許請求の範囲】
【請求項１】
筒状の軸筒と、前記軸筒の後端の外径よりも大きい内径の筒部を有するキャップとを備えた筆記具であって、
前記筒部は、前記軸筒の先端側及び後端側のいずれもが挿入可能な挿入口を備え、
前記軸筒は、前記筒部に前記軸筒の後端側を挿入した際に前記筒部に覆われる前記軸筒の外周面から外方へ突出する軸筒固定突部を備え、
前記軸筒固定突部は前記筒部の内周面と当接することを特徴とする筆記具。
【請求項２】
前記軸筒固定突部は、前記筒部に前記軸筒の後端側を挿入した際に前記挿入口の口縁が位置する前記軸筒の外周面の近傍に形成されていることを特徴とする請求項１記載の筆記具。
【請求項３】
前記軸筒固定突部は、前記軸筒の後端の外周面に形成されていることを特徴とする請求項１記載の筆記具。
【請求項４】
前記軸筒固定突部は、前記筒部に前記軸筒の後端側を挿入した際に前記挿入口の口縁が位置する前記軸筒の外周面の近傍に形成されるとともに、前記軸筒の後端の外周面にも形成されていることを特徴とする請求項１記載の筆記具。
【請求項５】
前記軸筒固定突部は、前記軸筒の後端側から先端側に向かい外径が漸増する面を有することを特徴とする請求項２又は３記載の筆記具。
【請求項６】
前記軸筒固定突部の双方が、前記軸筒の後端側から先端側に向かい外径が漸増する面を有することを特徴とする請求項４に記載された筆記具。
【請求項７】
前記軸筒固定突部は、前記軸筒の外周面において、前記軸筒の外周を等配するように形成されたことを特徴とする請求項２、３又は５記載の筆記具。
【請求項８】
前記軸筒固定突部の一方又は双方が、前記軸筒の外周面において、前記軸筒の外周を等配するように形成されたことを特徴とする請求項４又は６記載の筆記具。
【請求項９】
前記軸筒固定突部は、前記軸筒の外周の全周に備えられていることを特徴とする請求項２、３又は５記載の筆記具。
【請求項１０】
前記軸筒固定突部の一方又は双方が、前記軸筒の外周の全周に備えられていることを特徴とする請求項４、６又は８記載の筆記具。
【請求項１１】
前記筒部は、その内周面において内方へ肉厚を増しているキャップ固定部を備え、
前記キャップ固定部は、前記筒部に前記軸筒の後端側を挿入した際に、前記軸筒の後端の外周面に形成されている前記軸筒固定突部と当接することを特徴とする請求項９又は１０記載の筆記具。
【請求項１２】
前記軸筒の表面にはラバーが装着されていることを特徴とする請求項１、２、３、４、５、６、７、８、９、１０又は１１記載の筆記具。
【発明の詳細な説明】
【技術分野】
【０００１】
本発明は、軸筒とキャップとを備える筆記具、いわゆるキャップ式筆記具に関する。
【背景技術】
【０００２】
従来、軸筒とこの軸筒にキャップが装着される、いわゆるキャップ式筆記具としては種々のものが提供されている。このようなキャップ式筆記具のキャップは、筆記具不使用時にボールペンにおけるボールなどの筆記先端を保護すべく軸筒の先端側に装着するだけでなく、筆記具使用時にキャップの紛失を防止すべく軸筒の後端側に装着することも可能となっているのが一般的である。しかし、このようなキャップ式筆記具において、キャップを軸筒に装着する際、キャップが軸筒に接触することにより軸筒の表面を損傷させるという問題が生じていた。そこで、このような損傷を防止すべく、以下の特許文献１に示すような、軸筒の表面にイオンプレーティングによる高硬度の金属被膜を形成する技術や、特許文献２に示すような、キャップの内面にシリコンオイルなどの不揮発性潤滑材を塗布する技術が開示されている。
【特許文献１】実開昭６０−１７３３８０号公報
【特許文献２】実開昭６２−１５４９８２号公報
【発明の開示】
【発明が解決しようとする課題】
【０００３】
上述の如く、キャップの接触による軸筒の表面の損傷を防止するためには種々の技術が知られているが、軸筒の表面にイオンプレーティングによる高硬度の金属被膜を形成する技術においては、金属被膜を形成することが大きな労力を要するとともに、製造コストが高くなるため不経済であるという問題が生じていた。また、キャップの内面に不揮発性潤滑材を塗布する技術においては、軸筒にこの不揮発性潤滑材が付着することにより、筆記具の使用時に指がべたつくおそれがあり、さらに筆記具の把持時に滑りが発生して安定した筆記具の把持を妨げるおそれも生じていた。
従って、上記のような事情により、経済的に軸筒の表面の損傷を防止することができるような筆記具の提供が望まれている。
【０００４】
そこで、本発明は、上記事情に鑑みてなされたものであり、簡易、かつ経済的な構造により軸筒の擦過キズなどの損傷を軽減することができるような筆記具を提供することを第１の課題とする。
さらに、本発明は、上記第１の課題に加え、キャップの挿入口の口縁による軸筒の擦過キズなどの損傷を軽減するとともに、軸筒全身がラバーにより形成されている際、軸筒のラバー部分が膨潤した場合においても、軸筒の後端側へのキャップの着脱をスムーズに行うことを可能とし、かつ軸筒の後端側へキャップを装着した際にガタツキの生じることのない筆記具を提供することを第２の課題とする。
【０００５】
さらに、本発明は、上記第１の課題に加え、軸筒後端の擦過キズなどの損傷を軽減するとともに、軸筒全身がグリップラバーにより形成されている際、軸筒外周面のグリップラバーのめくれを防止できるような筆記具を提供することを第３の課題とする。
さらに、本発明は、上記第２又は第３の課題に加え、軸筒をスムーズにキャップに挿入することができるような筆記具を提供することを第４の課題とする。
さらに、本発明は、上記第４の課題に加え、軸筒がキャップに対して曲がって挿入されることを防止することにより、軸筒の擦過キズなどの損傷を軽減できるような筆記具を提供することを第５の課題とする。
【０００６】
さらに、本発明は、上記第４の課題に加え、軸筒がキャップに対して曲がって挿入されることを、より効果的に防止することで、軸筒の擦過キズなどの損傷を軽減できるような筆記具を提供することを第６の課題とする。
さらに、本発明は、上記第６の課題に加え、キャップと軸筒の当接面積を減少させて、キャップから軸筒に対して加えられる挟持力を抑えることにより、キャップを容易に外すことができるような筆記具を提供することを第７の課題とする。
さらに、本発明は、上記第１、第２、第３、第４、第５、第６又は第７の課題に加え、ラバーにより軸筒表面を保護できるとともに、把持感も良好な筆記具を提供することを第８の課題とする。
【課題を解決するための手段】
【０００７】
（第１の発明）
本発明のうち第１の発明は、筒状の軸筒15と、前記軸筒15の後端の外径よりも大きい内径の筒部21を有するキャップ20とを備えた筆記具であって、前記筒部21は、前記軸筒15の先端側及び後端側のいずれもが挿入可能な挿入口を備え、前記軸筒15は、前記筒部21に前記軸筒15の後端側を挿入した際に前記筒部21に覆われる前記軸筒15の外周面から外方へ突出する軸筒固定突部75bを備え、前記軸筒固定突部75bは前記筒部21の内周面と当接することを特徴とする。
「軸筒15」とは、その内部においてリフィルなどを保護する筆記具の側であり、その構造については特に限定されておらず、１つの筒体を外軸として１層のみからなる軸筒15を形成することも可能である。また最外層に位置する筒体を外軸、その内側に位置する筒体を内軸とするなど２層以上の複数層からなる軸筒15を形成してもよい。
【０００８】
軸筒15及びキャップ20の材質については、特に限定されておらず、たとえばポリカーボネート樹脂を用いることができる。また、前記軸筒15は、その全身が熱可塑性エラストマーなどにより形成されるラバーで覆われていてもよい。
また、ここで「先端」とは、軸筒15に設けられるチップ40などの筆記部分が存在する側の端部を意味する。また「先端側」とは、前記先端に近い側を意味する。
一方、「後端」とは、前記先端と反対側の端部を意味する。また「後端側」とは、前記後端に近い側を意味する。
「軸筒固定突部75b」とは、上述の如く、軸筒15の外周面において外方へ突出することにより、前記キャップ20に前記軸筒15の後端側を挿入した際に、前記キャップ20の筒部21の内周面と当接することで、前記軸筒15の外周面の損傷を防止し、さらにキャップ20のガタツキを防止する構造である。
【０００９】
（第２の発明）
本発明のうち第２の発明は、上記第１の発明の特徴に加え、前記軸筒固定突部75bは、前記筒部21に前記軸筒15の後端側を挿入した際に前記挿入口の口縁が位置する前記軸筒15の外周面の近傍に形成されていることを特徴とする。
「挿入口の口縁が位置する前記軸筒15の外周面」とは、前記キャップ20に前記軸筒15の後端側を挿入し前記キャップ20が前記軸筒15に装着された際に、前記キャップ20の挿入口の口縁と対向する位置における軸筒15の外周面をいう。
また、前記軸筒固定突部75bは、上述のように前記挿入口の口縁が位置する前記軸筒15の外周面の近傍にのみ形成してもよいが、当該部分に形成するとともに後述する軸筒15の後端の外周面に形成してもよい。
【００１０】
（第３の発明）
本発明のうち第３の発明は、上記第１の発明の特徴に加え、前記軸筒固定突部75bは、前記軸筒15の後端の外周面に形成されていることを特徴とする。
前記軸筒固定突部75bは、上述のように前記軸筒15の後端の外周面にのみ形成してもよいが、当該部分に形成するとともに上述したキャップ20の挿入口の口縁が位置する前記軸筒15の外周面の近傍に形成してもよい。
（第４の発明）
本発明のうち第４の発明は、上記第２又は第３の発明の特徴に加え、前記軸筒固定突部75bは、前記軸筒15の後端側から先端側に向かい外径が漸増する面を有することを特徴とする。
【００１１】
「外径が漸増する面」とは、特に限定されるものではないが、たとえば前記軸筒15の後端側から先端側に向かって外径が大きくなるテーパー面や曲面などが挙げられる。また、前記軸筒固定突部75bは外径が漸増する面を有していればよく、一度外径が漸増し、その後外径が漸減するような面を有していてもよい。また、前記面は前記軸筒固定突部75bの後端付近からその外径が漸増するのが望ましい。
上述の如く、前記軸筒固定突部75bは、前記軸筒15の後端の外周面に形成するとともに前記挿入口の口縁が位置する前記軸筒15の外周面の近傍にも形成することもできるが、かかる場合は、前記軸筒15をスムーズに前記キャップ20に挿入するという目的に鑑み、双方の軸筒固定突部75bに前記外径が漸増する面を有していることが望ましい。
【００１２】
（第５の発明）
本発明のうち第５の発明は、上記第４の発明の特徴に加え、前記軸筒固定突部75bは、前記軸筒15の外周面において、前記軸筒15の外周を等配するように形成されたことを特徴とする。
「軸筒15の外周を等配する」とは、軸筒15の外周を等間隔に区切るように前記軸筒固定突部75bを形成することをいい、たとえば軸筒15の外周において９０°おき又は１２０°おき又は１８０°おきに前記軸筒固定突部75bを形成することができる。また、前記軸筒固定突部75bの形状については、特に限定されるものではなく、たとえば半球状の突部などを形成することができる。
【００１３】
また、上述の如く、前記軸筒固定突部75bは、前記軸筒15の後端の外周面に形成するとともに前記挿入口の口縁が位置する前記軸筒15の外周面の近傍にも形成することもできるが、かかる場合は、どちらか一方の軸筒固定突部75bについてのみ前記軸筒15の外周を等配するように形成してもよく、また双方の軸筒固定突部75bについて前記軸筒15の外周を等配するように形成してもよい。
（第６の発明）
本発明のうち第６の発明は、上記第４の発明の特徴に加え、前記軸筒固定突部75bは、前記軸筒15の外周の全周に備えられていることを特徴とする。
【００１４】
「軸筒15の外周の全周に備えられている」とは、前記軸筒15の外周の全周に渡って突出するように前記軸筒固定突部75bを形成していることを意味する。
上述の如く、前記軸筒固定突部75bは、前記軸筒15の後端の外周面に形成するとともに前記挿入口の口縁が位置する前記軸筒15の外周面の近傍にも形成することもできるが、かかる場合は、どちらか一方の軸筒固定突部75bのみを前記軸筒15の外周の全周に形成してもよく、また両方の軸筒固定突部75bを前記軸筒15の外周の全周に形成してもよい。
（第７の発明）
本発明のうち第７の発明は、上記第６の発明の特徴に加え、前記筒部21は、その内周面において内方へ肉厚を増しているキャップ固定部23を備え、前記キャップ固定部23は、前記筒部21に前記軸筒15の後端側を挿入した際に、前記軸筒15の後端の外周面に形成されている前記軸筒固定突部75bと当接することを特徴とする。
【００１５】
「キャップ固定部23」とは、前記筒部21の内周面において内方へ肉厚を増していればよく、その形状については特に限定されるものではない。また、前記キャップ固定部23は、前記筒部21の内周の全周に備えることも可能であるが、前記キャップ20と前記軸筒15の当接面積を減少させて、前記キャップ20から前記軸筒15に対して加えられる挟持力を抑えることにより、キャップ20を容易に外すことができるようにするという目的に鑑み、前記筒部21の内周と等配するように形成するのが望ましい。
（第８の発明）
本発明のうち第８の発明は、上記第１、第２、第３、第４、第５、第６又は第７の発明の特徴に加え、前記軸筒15の表面にはラバーが装着されていることを特徴とする。
【００１６】
「ラバー」は弾性に富み、摩擦力が比較的大きく、滑りにくいような素材で形成されていればよく、特に限定されるものではない。たとえば熱可塑性エラストマーにより形成することができる。
【発明の効果】
【００１７】
本発明は、以下に記載されるような効果を奏する。
（第１の発明）
すなわち、本発明のうち第１の発明は、簡易、かつ経済的な構造により軸筒の擦過キズなどの損傷を軽減することができるような筆記具を提供することができる。
（第２の発明）
また、本発明のうち第２の発明は、上記した第１の発明の効果に加え、キャップの挿入口の口縁による軸筒の擦過キズなどの損傷を軽減するとともに、軸筒全身がグリップラバーにより形成されている際、軸筒のグリップラバー部分が膨潤した場合においても、軸筒の後端側へのキャップの着脱をスムーズに行うことを可能とし、かつ軸筒の後端側へキャップを装着した際にガタツキの生じることのない筆記具を提供することができる。
【００１８】
（第３の発明）
また、本発明のうち第３の発明は、上記した第１の発明の効果に加え、軸筒後端の擦過キズなどの損傷を軽減するとともに、軸筒全身がグリップラバーにより形成されている際、軸筒外周面のグリップラバーのめくれを防止できるような筆記具を提供することができる。
（第４の発明）
また、本発明のうち第４の発明は、上記した第２又は第３の発明の効果に加え、軸筒をスムーズにキャップに挿入することができるような筆記具を提供することができる。
【００１９】
（第５の発明）
また、本発明のうち第５の発明は、上記第４の発明の効果に加え、軸筒がキャップに対して曲がって挿入されることを防止することにより、軸筒の擦過キズなどの損傷を軽減できるような筆記具を提供することができる。
（第６の発明）
また、本発明のうち第６の発明は、上記第４の発明の効果に加え、軸筒がキャップに対して曲がって挿入されることを、より効果的に防止することで、軸筒の擦過キズなどの損傷を軽減できるような筆記具を提供することができる。
【００２０】
（第７の発明）
また、本発明のうち第７の発明は、上記第６の発明の効果に加え、キャップと軸筒の当接面積を減少させて、キャップから軸筒に対して加えられる挟持力を抑えることにより、キャップを容易に外すことができるような筆記具を提供することができる。
（第８の発明）
また、本発明のうち第８の発明は、上記第１、第２、第３、第４、第５、第６又は第７の発明の効果に加え、ラバーにより軸筒表面を保護できるとともに、把持感も良好な筆記具を提供することができる。
【発明を実施するための最良の形態】
【００２１】
以下、本発明の１の実施の形態を図面を参照しつつ説明する。
図１は、本実施の形態に係るボールペン10の正面図である。図２は、本実施の形態に係るボールペン10の後端にキャップ20を装着した状態の正面図である。図３は、本実施の形態に係るボールペン10の後端にキャップ20を装着した状態の一部正面図である。
（ボールペン10）
このボールペン10は、図１に示すように、筒状の外軸70とこの外軸70の内側に収容される内軸とで構成される筆記具用軸筒15と、キャップ20とを備えている。
前記外軸70の先端にはチップ40を導出する口金16が備えられており、前記チップ40は口金16を通じて前記外軸70から突出している。一方、前記外軸70の後端には、尾栓61が備えられている。
【００２２】
前記内軸は、図示しないが、チップ40と、チップ40が接続されるインク収容管と、チップ40とインク収容管とを接続する継ぎ手よりなる。
（外軸70）
前記外軸70は、図１に示すように、その前半部を構成するグリップ71と、その後半部を構成する外軸後半部75とを備える。前記グリップ71及び前記外軸後半部75は双方とも円筒状に形成されており、前記グリップ71の外径は前記外軸後半部75の外径よりも小さくなっている。また、前記外軸70は、透明なポリカーボネート樹脂で形成されている。
前記外軸後半部75には、上述の如く、軸筒固定突部75bが備えられる。本実施の形態における前記軸筒固定突部75bは、前記外軸70の後端に設けられる外軸後端固定部75cとして形成され、かつ前記外軸70の中央に設けられる外軸中央固定部75dとして形成される。前記外軸後端固定部75cは、その外周面が外方に凸となる円筒形状であって
前記外軸後半部75の後端に連続して形成されている。また、前記外軸中央固定部75dは、前記外軸後半部75の外周面から外方に凸となる湾曲面であって、前記キャップ20に前記外軸後半部75を挿入した際に、前記キャップ20の挿入口の口縁と対向する前記外軸後半部75の外周面の部分に位置し、前記外軸後半部75の外周を等配するよう２箇所に形成されている（図２及び図３参照）。
【００２３】
また、前記グリップ71の表面には、グリップラバー74が形成されている。さらに前記外軸後半部75の表面にも、同様に、前記グリップラバー74と同じ材質によるラバー部79が形成されている。一方、前記外軸後端固定部75c及び前記外軸中央固定部75dの表面は、前記グリップラバー74により覆われておらず、当該部分においては上述の透明なポリカーボネート樹脂が露出している（図１参照）。
（キャップ20）
キャップ20は、装着時に前記外軸70を覆う筒部21とクリップ29とを備える。前記筒部21の内径は前記外軸後半部75の外径よりも大きくなっており、これにより前記外軸70の先端側及び後端側のいずれをも挿入することが可能となっている（図２参照）。
【００２４】
また、前記キャップ20に前記外軸70の後端側を挿入した際に、前記外軸後端固定部75cが接する前記筒部21の内周面の部分には、内方へ肉厚を増しているキャップ固定部23が形成されている（図３参照）。これにより、前記筒部21と前記外軸70の当接面積を減少させて、前記キャップ20から前記外軸70に対して加えられる挟持力を抑えることにより、前記キャップ20を容易に外すことができる。
（キャップ20と外軸70との当接）
前記外軸後端固定部75c及び前記外軸中央固定部75dは、上述の如く、前記外軸70の外周面から外方へ凸となっており、前記キャップ20に前記外軸70の後端側を挿入した際、前記キャップ20の筒部21の内周面は前記外軸後端固定部75cと当接する。また前記キャップ20の挿入口の口縁は前記外軸中央固定部75dと当接する。これにより前記キャップ20が前記外軸70の外周面と触れることを防止することができ、その結果、前記外軸70の外周面に形成されたラバー部79の擦過キズを軽減することができる（図３参照）。
【図面の簡単な説明】
【００２５】
【図１】本発明の１の実施の形態に係るボールペンの正面図である。なお、キャップは断面で示している。
【図２】本発明の１の実施の形態に係るボールペンの後端にキャップを装着した状態の正面図である。なお、キャップは断面で示している。
【図３】本発明の１の実施の形態に係るボールペンの後端にキャップを装着した状態の一部正面図である。なお、キャップは断面で示している。
【符号の説明】
【００２６】
10  ボールペン          15  軸筒
16  口金
20  キャップ
21  筒部                23  キャップ固定部
29  クリップ
40  チップ              61  尾栓
70  外軸
71  グリップ            74  グリップラバー
75  外軸後半部          75b  軸筒固定突部
75c  外軸後端固定部      75d  外軸中央固定部
79  ラバー部
【図１】
2005081665.tif 000003
【図２】
2005081665.tif 000004
【図３】
2005081665.tif 000005